【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
ディスク状でなる体積型記録媒体に対し、記録すべき情報を基に所定の光を照射することにより記録マークを複数のマーク層に渡り記録する光ディスク装置において、
第１の光が上記体積型記録媒体内で結ぶ焦点の位置を当該第１の光の光軸方向に調整する第１の焦点位置調整手段と、
第２の光が上記体積型記録媒体内で結ぶ焦点の位置を当該第２の光の光軸方向に調整する第２の焦点位置調整手段と、
同一の対物レンズを介した上記第１の光及び上記第２の光が上記体積型記録媒体内で互いに異なるマーク層の互いに対応する位置に焦点を結ぶよう上記第１の焦点位置調整手段及び第２の焦点位置調整手段を制御する焦点制御手段と、
上記記録すべき情報を上記第１の光及び上記第２の光にそれぞれ対応付け照射させることにより、それぞれの焦点の位置に上記記録マークを形成させる記録制御手段と
を有する光ディスク装置。
【請求項２】
上記記録制御手段は、
上記記録すべき情報を所定単位ごとに分割し上記第１の光及び上記第２の光にそれぞれ対応付けて上記記録マークを形成させる
請求項１に記載の光ディスク装置。
【請求項３】
上記記録制御手段は、
上記記録すべき情報を上記第１の光及び上記第２の光に重複して対応付け上記記録マークを形成させる
請求項１に記載の光ディスク装置。
【請求項４】
所定の第３の光を上記第１の光と光軸を合わせ上記対物レンズを介して上記体積型記録媒体へ照射し、上記体積型記録媒体に設けられた位置決め層からの戻り光を基に上記対物レンズを位置制御する対物レンズ制御手段
をさらに有する請求項１に記載の光ディスク装置。
【請求項５】
上記位置決め層は、上記記録マークの記録位置を表すトラックが形成され、
上記対物レンズ制御手段は、上記戻り光を基に上記トラックを認識した上で上記対物レンズを位置制御する
請求項４に記載の光ディスク装置。
【請求項６】
上記第３の光は、上記第１及び第２の光と異なる波長でなり、
上記位置決め層は、波長選択性により上記第１及び第２の光を透過すると共に上記第３の光を反射する
請求項４に記載の光ディスク装置。
【請求項７】
上記第３の光は、上記第１及び第２の光と同一の波長でなり、
上記位置決め層は、透過率が調整されていることにより上記第１及び第２の光を所定割合で透過すると共に上記第１及び第２の光と同一波長でなる第３の光を所定割合で反射する
請求項４に記載の光ディスク装置。
【請求項８】
上記体積型記録媒体は、予め一様なホログラムが形成され、
上記記録制御手段は、上記第１又は第２の光により上記情報を記録する際、上記ホログラムを局所的に破壊することにより上記記録マークを形成させる
請求項１に記載の光ディスク装置。
【請求項９】
上記体積型記録媒体は、一様に所定の反射率を有し、
上記記録制御手段は、上記第１又は第２の光により上記情報を記録する際、上記体積型記録媒体を局所的に変質させ上記反射率を変化させることにより上記記録マークを形成させる
請求項１に記載の光ディスク装置。
【請求項１０】
上記体積型記録媒体は、一様に所定の屈折率を有し、
上記記録制御手段は、上記第１又は第２の光により上記情報を記録する際、上記体積型記録媒体を局所的に変質させ上記屈折率を変化させることにより上記記録マークを形成させる
請求項１に記載の光ディスク装置。
【請求項１１】
記録すべき情報を基に、ディスク状でなる体積型記録媒体に対し所定の光を照射することにより記録マークを複数のマーク層に渡り記録する情報記録方法において、
第１の光が上記体積型記録媒体内で結ぶ焦点の位置を当該第１の光の光軸方向に調整すると共に第２の光が上記体積型記録媒体内で結ぶ焦点の位置を当該第２の光の光軸方向に調整することにより、同一の対物レンズを介した上記第１の光及び上記第２の光が上記体積型記録媒体内で互いに異なるマーク層の互いに対応する位置に焦点を合わせるよう制御する焦点制御ステップと、
上記記録すべき情報を上記第１の光及び上記第２の光にそれぞれ対応付け照射させることにより、それぞれの焦点の位置に上記記録マークを形成させる記録制御ステップと
を有する情報記録方法。
【請求項１２】
ディスク状でなり記録マークが複数のマーク層に渡り記録された体積型記録媒体に対し所定の光を照射することにより情報を再生する光ディスク装置において、
第１の光が上記体積型記録媒体内で結ぶ焦点の位置を当該第１の光の光軸方向に調整する第１の焦点位置調整手段と、
第２の光が上記体積型記録媒体内で結ぶ焦点の位置を当該第２の光の光軸方向に調整する第２の焦点位置調整手段と、
同一の対物レンズを介した上記第１の光及び上記第２の光が上記体積型記録媒体内で互いに異なるマーク層の互いに対応する位置にそれぞれの焦点を合わせるよう上記第１の焦点位置調整手段及び第２の焦点位置調整手段を制御することにより、上記互いに異なるマーク層の上記記録マークを基に第１及び第２の再生光をそれぞれ発生させる焦点制御手段と、
上記第１及び第２の再生光をそれぞれ検出する第１及び第２の検出手段と、
上記第１及び第２の検出手段による検出結果を統合することにより再生信号を生成する再生信号生成手段と
を有する光ディスク装置。
【請求項１３】
上記体積型記録媒体は、
上記情報が上記記録マークとして記録される際、上記情報が所定の記録単位ごとに分割され上記第１の光及び上記第２の光により上記互いに異なるマーク層の互いに対応する位置に分配して記録され、
上記再生信号生成手段は、
上記第１及び第２の検出手段による検出結果を結合することにより上記分割前の情報に相当する上記再生信号を生成する
請求項１２に記載の光ディスク装置。
【請求項１４】
上記体積型記録媒体は、
上記記録マークが記録される際、上記第１の光及び上記第２の光により上記互いに異なるマーク層の互いに対応する位置に同一の情報が記録され、
上記再生信号生成手段は、
上記第１及び第２の検出手段による検出結果に対して所定の誤り訂正処理を施すことにより上記再生信号を生成する
請求項１２に記載の光ディスク装置。
【請求項１５】
上記第１及び第２の検出手段は、
上記第１及び第２の再生光が混合された混合再生光を収束させ、上記第１又は第２の再生光の合焦位置に合わせて設けられたピンホールにより当該上記第１又は第２の再生光のうち一方を選別して検出する
請求項１２に記載の光ディスク装置。
【請求項１６】
所定の第３の光を上記第１の光と光軸を合わせ上記対物レンズを介して上記体積型記録媒体へ照射し、上記体積型記録媒体に設けられた位置決め層からの戻り光を基に上記対物レンズを位置制御する対物レンズ制御手段
をさらに有する請求項１２に記載の光ディスク装置。
【請求項１７】
上記位置決め層は、上記記録マークの記録位置を表すトラックが形成され、
上記対物レンズ制御手段は、上記戻り光を基に上記トラックを認識した上で上記対物レンズを位置制御する
請求項１６に記載の光ディスク装置。
【請求項１８】
上記第３の光は、上記第１及び第２の光と異なる波長でなり、
上記位置決め層は、波長選択性により上記第１及び第２の光を透過すると共に上記第３の光を反射する
請求項１６に記載の光ディスク装置。
【請求項１９】
上記第３の光は、上記第１及び第２の光と同一の波長でなり、
上記位置決め層は、透過率が調整されていることにより上記第１及び第２の光を所定割合で透過すると共に上記第１及び第２の光と同一波長でなる第３の光を所定割合で反射する
請求項１６に記載の光ディスク装置。
【請求項２０】
ディスク状でなり記録マークが複数のマーク層に渡り記録された体積型記録媒体に対し所定の光を照射することにより情報を再生する情報再生方法において、
第１の光が上記体積型記録媒体内で結ぶ焦点の位置を当該第１の光の光軸方向に調整すると共に第２の光が上記体積型記録媒体内で結ぶ焦点の位置を当該第２の光の光軸方向に調整することにより、同一の対物レンズを介した上記第１の光及び上記第２の光が上記体積型記録媒体内で互いに異なるマーク層の互いに対応する位置にそれぞれの焦点を合わせるよう制御し、上記互いに異なるマーク層の上記記録マークを基に第１及び第２の再生光をそれぞれ発生させる焦点制御ステップと、
上記第１及び第２の再生光をそれぞれ検出する検出ステップと、
上記検出ステップによる検出結果を統合することにより再生信号を生成する再生信号生成ステップと
を有する情報再生方法。